【事件の表示】
　特願２００８−３２２７００「通信端末装置」拒絶査定不服審判事件〔平成２１年　８月２０日出願公開、特開２００９−１８８９８７〕について、次のとおり審決する。
【結　論】
　本件審判の請求は、成り立たない。
【理　由】
１．手続の経緯・本願発明
　本願は、平成１６年１１月１２日に出願した特願２００４−３２８４５７号（原出願）の一部を平成１９年１月９日に新たな特許出願（特願２００７−１３２４号）とし、その出願の一部を平成２０年１０月２７日に新たな特許出願（特願２００８−２７５４８２号）とし、その出願の一部を平成２０年１２月１８日に新たな特許出願（特願２００８−３２２７００号）としたものであって、平成２１年３月２６日付けで拒絶査定がなされ、これに対し、同年７月３日に拒絶査定に対する審判請求がなされたものである。
　その特許請求の範囲の請求項４に係る発明（以下、「本願発明」という。）は、平成２１年３月９日付け手続補正書により補正された特許請求の範囲の請求項４に記載された事項により特定される次のとおりのものである。
　
（本願発明）
　「音情報を含むコンテンツを記憶する記憶手段と、
　記憶された音情報を出力する音声出力手段と、
　画像情報を表示する表示手段と、
　メールを受信した際に行う報知の動作を設定する設定手段と、
　前記音情報の出力がなされていないときにメールを受信すると、前記設定手段によって設定された報知の動作を行い、
　前記音情報の出力がなされているときにメールを受信すると、前記設定手段によって設定された報知の設定に係わらず、メール受信を報知する音を鳴動させずに、前記音情報の出力を継続させ、前記表示手段にメール受信に関連する所定画像を表示する制御手段と
を有することを特徴とする通信端末装置。」
　
２．引用例
Ａ．拒絶査定の拒絶理由に引用されたＶ８０１ＳＡ　取扱説明書　基本操作編、２００３年８月、第１版、Ｊ−フォン株式会社、ｐ１−１０、ｐ８−３〜ｐ８−７、ｐ９−２、ｐ９−１８、ｐ９−２１〜ｐ９−２２（以下、「引用例１」という。）には、図面とともに以下の事項が記載されている。
　
　イ．「ディスプレイ
　・・・（中略）・・・
　（６）メールサーバー状態表示
　　『アイコン』新着メールあり表示
　　メールサーバーに通知を受信していないメールがあるときに表示します。」（ｐ１−１０右欄）
　（当審注：表記の都合上、丸数字６は「（６）」と表記し、また、「新着メールあり」の前に記載された記号は『アイコン』と表記した。）
  ロ．「着信音の設定（着信音設定）　Ｆ１０
　着信音を着信種別ごとに、音やメロディまたはデータフォルダに保存されているメロディファイル、オーディオ＆ビデオに保存されているビデオファイル、オーディオファイルの中から設定します。また着信時に点滅する着信ランプの色と点滅パターンを設定します。メール、ＳＭＳ、配信レポートの着信についてはＶｏｄａｆｏｎｅ　ｌｉｖｅ！編を参照して下さい。」（ｐ８−３）
　ハ．上記ロ．記載の下方には「着信種別のアイコン」の題目の下、着信種別のアイコンが着信種別である音声着信、メール着信、ＳＭＳ着信、配信レポート着信、ＴＶコール着信とともに一覧表として記載されている。（ｐ８−３）
　ニ．「オーディオ＆ビデオのはたらき
オーディオ＆ビデオでは、ビデオファイルおよびオーディオファイルを再生したり、ＣＤの音楽などを録音したりできます。オーディオ＆ビデオには、ウェブページからダウンロードしたビデオファイルやオーディオファイル、Ｖ８０１ＳＡのカメラで撮影した動画、Ｖ８０１ＳＡで録音した音楽などが保存されています。
ファイルを再生するには、オーディオ＆ビデオのビデオプレイヤーまたはオーディオプレイヤーを利用します．また、音楽の録音は、オーディオ＆ビデオのオーディオレコーダーを使って行います。」（ｐ９−２）
　ホ．「再生中の着信方法を設定する（着信優先設定）
ビデオ/オーディオトラック再生中に着信があった場合に、着信を優先して再生を停止するか、着信の通知のみを行って再生を続行するか設定します。着信種別ごとに設定できます。ただし、ＴＶコール着信は「着信優先」に固定です。
お買い上げ時は音声着信、メールサービスの着信のいずれも「着信優先」に設定されています。
　１　「プレーイヤー設定」を呼び出す。
　（１）待受画面で『メニューボタン』を押す
　（２）『選択ボタン』で『アイコン』（オーディオ＆ビデオ）を選択し、『決定ボタン』（ＯＫ）を押す
　（３）『選択ボタン』で「プレイヤー設定」を選択し、『決定ボタン』（ＯＫ）を押す
　２　『選択ボタン』で「着信優先設定」を選択し、『決定ボタン』（変更）を押す
　３　『選択ボタン』で着信種別を選択し、『決定ボタン』（変更）を押す
　４　『選択ボタン』で優先設定を選択し、『決定ボタン』（ＯＫ）を押す
　「着信優先」：再生を停止し、設定されている着信音と表示で着信を通知します。
　「再生優先」：再生を続行したまま、電子音と表示で着信を通知します。
　・・・（中略）・・・
　５　『完了ボタン』（完了）を押す」（ｐ９−２１〜９−２２）
（当審注：表記の都合上、丸数字１、丸数字２、丸数字３を（１）、（２）、（３）と表記し、また、半円内にＭＥＮＵと記載されたボタン記号を『メニューボタン』と表記し、
選択に用いられるボタン記号を『選択ボタン』と表記し、（オーディオ＆ビデオ）の左に記載の記号を『アイコン』と表記し、丸の中に黒丸の記号を『決定ボタン』と表記し、（完了）のためのボタンを『完了ボタン』と表記した。）
　
　ａ）上記摘記事項ロ．及びファイルは記憶手段に保存されるという技術常識によれば、引用例１には、「オーディオファイルを保存する記憶手段」が記載されているに等しいと認められる。
　ｂ）また、上記摘記事項ニ．によれば、引用例１には、「記憶されたオーディオファイルを再生するオーディオプレイヤー」が記載されている。　
　ｃ）また、上記摘記事項イ．によれば、引用例１には、「メールサーバーに通知を受信していないメールがあるときに新着メールありを示すアイコンを表示するディスプレイ」が記載されている。
　ｄ）また、上記摘記事項ロ．ハ．及び着信設定は設定手段により行われるという技術常識によれば、引用例１には、「音声着信やメール着信等の着信種別ごとに着信音と着信時に点滅する着信ランプの色と点滅パターンを設定する設定手段」と「メール着信があると前記設定手段によって設定された着信音と着信ランプ等の表示を行」うことが記載されているに等しいと認められる。
　ｅ）また、上記摘記事項ニ．ホ．及び、着信通知等の制御は制御手段により行われるという技術常識によれば、引用例１には、「前記オーディオファイルの再生中に、音声着信やメール着信等の着信があった場合、予め再生優先の設定がなされていると、再生を続行したまま電子音と表示で着信を通知する制御手段」が記載されているに等しいと認められる。
　ｆ）また、引用例１は、Ｖ８０１ＳＡの取扱説明書であるところ、Ｖ８０１ＳＡはＪ−フォン株式会社販売の携帯電話機型番であることが周知であるから、引用例１には、Ｖ８０１ＳＡ型携帯電話機が記載されている。
　
　以上総合すると、引用例１には、以下の発明（以下、「引用発明１」という。）が開示されているものと認められる。
　
「オーディオファイルを保存する記憶手段と、
　記憶されたオーディオファイルを再生するオーディオプレイヤーと、
　メールサーバーに通知を受信していないメールがあるときに新着メールありを示すアイコンを表示するディスプレイと、
　音声着信やメール着信等の着信種別ごとに着信音と着信時に点滅する着信ランプの色と点滅パターンを設定す設定手段と、
　メール着信があると前記設定手段によって設定された着信音と着信ランプ等の表示を行い、
　前記オーディオファイルの再生中に、音声着信やメール着信等の着信があった場合、予め再生優先の設定がなされていると、再生を続行したまま電子音と表示で着信を通知する制御手段と、
を有するＶ８０１ＳＡ型携帯電話機。」
　
Ｂ．同じく拒絶査定の拒絶理由に引用された特開２００３−３１９０２１号公報（以下、「引用例２」という。）には、図面とともに以下の事項が記載されている。
　イ．「【０００１】
【発明の属する技術分野】本発明は携帯型の情報端末としての携帯情報端末に係わり、特に報知音を出力する機能を備えた携帯情報端末に関する。」（２ページ１欄）
　ロ．「【０００６】
【発明が解決しようとする課題】以上説明した従来技術のうち、特開２００１−２６８１８１号公報ならびに特開２００１−３４６２６１号公報に記載された技術では、着信音等の報知音が出力されるとき、音楽の再生を中断するようにしていた。ところが音楽を聴取している者にとって、音楽の再生を中断するべきかは本来的に本人の決する問題であり、一方的に再生が中断されることは好ましくない。たとえば電子メールを受信したことを示す報知音が出力されるような場合には、通話を開始する必要もなく、報知を簡単に確認するだけで音楽の再生を連続させることも可能である。
【０００７】また、音楽に聴き入っている場合には音自体に敏感であり、まったく同じ音楽が同期して警報音として出力される場合を除けば、報知音が鳴ったのを区別できない事態は想定しがたい。特に使用者がヘッドフォンを使用しており、音楽と警報音を十分良好に聴取できる状況では尚更である。すなわち、特開２００１−３４５８８４号公報に開示された技術は、再生される音楽が高音質で聴取できる現状で適用されることが少ない。
【０００８】確かに、報知音の効果を高めるためには、音楽の再生を中断させるか、報知音の音量を高めるのが一般には効果的である。しかしながら、携帯情報端末の使用者が報知を認識できるような状況では、報知音の音量を高めると使用者に衝撃を与えるだけでなく、周囲へ騒音を発生させることにもなる。また、必要以上の電力消費を伴って携帯情報端末の使用できる時間を大きく短縮させることにもなる。
【０００９】そこで本発明の目的は、音楽再生機能を備え、音楽再生中であっても消費電力の低減を図りながら、必要な報知を可能にする携帯情報端末を提供することにある。」（２ページ２欄〜３ページ３欄）
　ハ．「【００１０】
【課題を解決するための手段】請求項１記載の発明では、（イ）音楽を再生する音楽再生手段と、（ロ）所持者に報知を行う報知手段と、（ハ）この報知手段の報知形態を予め複数通り記憶した報知形態記憶手段と、（ニ）報知手段が報知を行うとき音楽再生手段が音楽の再生中であるか否かを判別する音楽再生有無判別手段と、（ホ）この音楽再生有無判別手段が音楽の再生中であると判別したときとそれ以外の場合とで、報知形態記憶手段から報知形態の異なったものを報知のために選択する報知形態選択手段とを携帯情報端末に具備させる。
【００１１】すなわち請求項１記載の発明では、報知形態記憶手段に報知手段の報知形態を予め複数通り記憶させておき、音楽再生有無判別手段が音楽の再生中であると判別した場合とそれ以外の場合とで報知の形態を異なったものにして、音楽再生時における報知の形態の適正化を図る。これにより、音楽再生中であっても必要な報知を可能にする。また、適切な報知の形態を複数の中から選択することで、消費電力の低減も期待できる。
【００１２】〜【００１５】（略）
【００１６】請求項４記載の発明では、請求項１または請求項２記載の携帯情報端末で、音楽再生有無判別手段が音楽が再生されていると判別したとき、音以外の手段で報知を行うことを特徴としている。
【００１７】すなわち請求項４記載の発明では、音楽再生有無判別手段が音楽が再生されていると判別したとき、報知を、振動、光等の音以外の手段で行うことにして、音楽の再生自体を中断しないでもよいようにしている。」（３ページ３欄〜４欄）
　ニ．「【００５５】
【発明の効果】以上説明したように請求項１記載の発明によれば、報知形態記憶手段に報知手段の報知形態を予め複数通り記憶させておき、音楽の再生中である場合とそれ以外の場合とで報知の形態の適正化を図ることができるので、消費電力の低減を図ることができるだけでなく、報知デバイスや報知の音等のパターンを適宜変更することで、同一の報知形態に対する慣れによる報知効果の低下を防止することができる。
【００５６】、【００５７】（略）
【００５８】また請求項４記載の発明によれば、音楽再生有無判別手段が音楽が再生されていると判別したとき、音以外の手段で報知を行うので、音楽の再生自体を中断しないでもよい。」（７ページ１１欄〜１２欄）
　
　上記引用例２の記載、及びこの分野の技術常識によれば、引用例２には、以下の発明（以下、「引用発明２」という。）が記載されているものと認められる。
    
「携帯情報端末において、音楽再生有無判別手段が音楽が再生されていると判別したとき、報知を、振動、光等の音以外の手段で行うことにして、音楽の再生自体を中断しないでもよいようにした携帯情報端末。」
　
３．対比
　本願発明と引用発明１とを対比する。
　イ．引用発明１は、「オーディオファイルを保存する記憶手段」を有し、前記「オーディオファイル」は「音情報を含むコンテンツ」といえるから、「音情報を含むコンテンツを記憶する記憶手段」を有する点で、本願発明と一致する。
　ロ．引用発明１は、「記憶されたオーディオファイルを再生するオーディオプレイヤー」を有し、前記「オーディオプレイヤー」は「音声出力手段」といえるから、「記憶された音情報を出力する音声出力手段」を有する点で、本願発明と一致する。
　ハ．引用発明１は、「メールサーバーに通知を受信していないメールがあるときに新着メールありを示すアイコンを表示するディスプレイ」を有するから「画像情報を表示する表示手段」を有する点で、本願発明と一致する。
　ニ．引用発明１は、「音声着信やメール着信等の着信種別ごとに着信音と着信時に点滅する着信ランプの色と点滅パターンを設定す設定手段」を有するから、「メールを受信した際に行う報知の動作を設定する設定手段」を有する点で、本願発明と一致する。
　また、前記「設定手段」による設定は、前記「オーディオプレイヤー」による音声の再生がなされていないときの設定であって、また、該設定に基づいて報知動作が行われることは自明であるから、「前記音情報の出力がなされていないときにメールを受信すると、前記設定手段によって設定された報知の動作を行う」点で、本願発明と一致する。
　ホ．引用発明１は、「前記オーディオファイルの再生中に、音声着信やメール着信等の着信があった場合、予め再生優先の設定がなされていると、再生を続行したまま電子音と表示で着信を通知する制御手段」を有しているから、「メール受信に関連する表示」に関し、該表示が「前記設定手段によって設定された報知の設定に係わらず、メール受信を報知する音を鳴動させずに」、「前記表示手段に」「所定画像」で行う点を除き「前記音情報の出力がなされているときにメールを受信すると、前記音情報の出力を継続させ、メール受信に関連する表示をする制御手段」を有する点で、本願発明と一致する。
　へ．引用発明１は「Ｖ８０１ＳＡ型携帯電話機」であるから「通信端末装置」である点で本願発明と一致する。
　
　したがって、本願発明と引用発明１は、以下の点で一致し、また相違する。
　
（一致点）
「音情報を含むコンテンツを記憶する記憶手段と、
　記憶された音情報を出力する音声出力手段と、
　画像情報を表示する表示手段と、
　メールを受信した際に行う報知の動作を設定する設定手段と、
　前記音情報の出力がなされていないときにメールを受信すると、前記設定手段によって設定された報知の動作を行い、
　前記音情報の出力がなされているときにメールを受信すると、前記音情報の出力を継続させ、メール受信に関連する表示をする制御手段と
を有する通信端末装置。」
　
（相違点）
　本願発明は、「制御手段」における「メール受信に関連する表示」を「前記設定手段によって設定された報知の設定に係わらず、メール受信を報知する音を鳴動させずに」「前記表示手段に」「所定画像」で行うのに対して、引用発明１は、該表示を「電子音と表示」で行う点。
　
４．判断
　上記相違点について検討する。
　引用例２には「携帯情報端末において、音楽再生有無判別手段が音楽が再生されていると判別したとき、報知を、振動、光等の音以外の手段で行うことにして、音楽の再生自体を中断しないでもよいようにした携帯情報端末」の発明（引用発明２）が記載されている。
　このように、音楽が再生されているときにメールを受信した場合、音以外の手段で、即ち、音を鳴動させずにメール受信を報知することは公知であり、音を鳴動させずということは、設定手段で音を鳴動させる設定がされていても音を鳴動させないことを意味するから、引用発明２と通信端末装置という点で技術分野を共通にする引用発明１において、「メール受信に関する表示」を「前記設定手段によって設定された報知の設定に係わらず、メール受信を報知する音を鳴動させずに」行うことは当業者が容易になし得ることである。
　そして、表示手段の画面上でメール受信を報知することは周知技術（必要であれば、特開２００２−２０４２８８号公報の段落０００７〜００１０、特開２００３−１５７２１７号公報の段落００３０等参照）であり、また、引用発明１は、「メールサーバーに通知を受信していないメールがあるときに新着メールありを示すアイコンを表示するディスプレイ」を有しているから、引用発明１に引用発明２を適用するに際し、「オーディオファイルの再生中に、音声着信やメール着信等の着信があった場合」の音以外のメール報知手段として引用発明１の「ディスプレイ」を利用すること、即ち、「前記表示手段に」「所定画像」で表示するものとすることは、当業者が容易になし得ることである。
　
　そして、本願発明の効果は、引用発明１、引用発明２及び周知技術から当業者が容易に予測し得るものであって格別のものではない。
　
５．むすび
　以上のとおり、本願発明は、引用発明１、引用発明２及び周知技術に基づいて当業者が容易に発明をすることができたものと認められるから、特許法第２９条第２項の規定により特許を受けることができない。
　よって、結論のとおり審決する。